(57)【要約】【課題】  プリント注文の受付に要する時間を短縮する。【解決手段】  記録媒体又は画像データファイルから画像の作成日及び更新日に関するパラメータが取得され、メディアドライブによって読み出された画像データファイルに係る画像の作成日と更新日とが異なる場合に、その画像が編集画像であると判別される。そして、メディアドライブによって読み出された複数の画像データファイルの中から、編集画像であると判別された画像に係る画像データファイルが選択され、それらの画像データファイルに係る画像を含む「プリント枚数設定画面」がディスプレイに表示される。【選択図】図１７
2006293928.tif 000002
【特許請求の範囲】
【請求項１】
写真プリントの注文を受け付けるプリント注文受付装置において、
記録媒体に記録された画像データファイルを読み出すための読み出し部と、
前記読み出し部によって読み出された画像データファイルに係る画像の編集情報に関するパラメータを前記記録媒体又は画像データファイルから取得するパラメータ取得手段と、
ディスプレイと、
前記パラメータ取得手段が取得したパラメータに基づいて、前記読み出し部によって読み出された画像データファイルに係る画像が編集画像であるか否かを判別する判別手段と、
前記判別手段の判別結果に基づいて、注文画面に表示される画像に係る画像データファイルを選択する選択手段とを備えていることを特徴とするプリント注文受付装置。
【請求項２】
前記パラメータ取得手段は、前記読み出し部によって読み出された画像データファイルに係る画像の作成日及び更新日のそれぞれに関するパラメータを前記記録媒体又は画像データファイルから取得し、
前記判別手段は、前記パラメータ取得手段が取得したパラメータに基づく画像の作成日と更新日とが異なる場合に、当該画像が編集画像であると判別することを特徴とする請求項１に記載のプリント注文受付装置。
【請求項３】
前記ディスプレイへの表示を希望する編集画像に関する更新日の期間を入力する更新期間入力手段をさらに備えており、
前記選択手段は、前記読み出し部が読み出した画像データファイルに係る画像の中から、前記判別手段によって編集画像であると判別された画像であり、且つ、前記更新期間入力手段により入力された更新期間内の更新日を有する画像に係る画像データファイルを選択することを特徴とする請求項２に記載のプリント注文受付装置。
【請求項４】
前記読み出し部によって読み出された前記画像データファイルに係る画像のうち、前記判別手段において編集画像でないと判別された画像を含む注文画面が前記ディスプレイに表示されることを特徴とする請求項１〜３のいずれか１項に記載のプリント注文受付装置。
【請求項５】
写真プリントの注文を受け付けるプリント注文受付方法において、
記録媒体に記録された画像データファイルを読み出す読み出しステップと、
前記読み出しステップにおいて読み出された画像データファイルに係る画像の編集情報に関するパラメータを前記記録媒体又は画像データファイルから取得するパラメータ取得ステップと、
前記パラメータ取得ステップにおいて取得されたパラメータに基づいて、前記読み出しステップにおいて読み出された画像データファイルに係る画像が編集画像であるか否かを判別する判別ステップと、
前記判別ステップにおける判別結果に基づいて、注文画面に表示する画像に係る画像データファイルを選択する選択ステップと、
前記ディスプレイに表示された画像に対して注文情報の入力を受け付ける注文情報入力受付ステップとを備えていることを特徴とするプリント注文受付方法。
【発明の詳細な説明】
【技術分野】
【０００１】
本発明は、顧客から写真プリントの注文を受け付けるプリント注文受付装置及びプリント注文受付方法に関するものである。
【背景技術】
【０００２】
近年のデジタルカメラの普及に伴い、デジタルカメラで撮影された画像データを、従来からの写真処理装置を用いて銀塩印画紙等に対して高い品質でプリントする要望が高まっている。従って、写真店には、複数のデジタル画像受付装置と写真プリント装置とを備えたデジタル画像処理システムが設置されることが一般的になってきている（例えば、特許文献１参照）。このシステムでは、顧客によってデジタルカメラで撮影された画像データが保存されたメディアがセットされ、プリント枚数などの種々の指定を含むプリント注文が行われると、その注文に対応したプリント処理が写真処理装置で行われる。そして、写真店では、完成した写真プリントが顧客に手渡されると共に、プリント代金の精算が行われる。
【０００３】
ここで、顧客は、受付装置のタッチパネル方式のディスプレイに表示された注文画面を見ながら、各画像のプリント枚数などの指定を行う。そして、多数の画像データがメディアに保存されている場合には、それらを一度に注文画面に表示することができないので、所定数（例えば８コマ）の画像毎に表示されることが多い。従って、顧客は、所定数の画像の各プリント枚数を指定を行い、その指定が終了する度に、次の所定数の画像が表示される画面に切り換えて、これらの画像の各プリント枚数の指定を行う。
【特許文献１】特開２００３−７５９３０号公報（図１）
【発明の開示】
【発明が解決しようとする課題】
【０００４】
ここで、１つの写真店には数台の受付装置が設置されていることが多いが、この写真店に多くの顧客がプリント注文を行うために訪れた場合には、これらの顧客は同時に受付装置を利用することができないので、顧客は自分の順番が来るのを待つ必要がある。このとき、受付装置を利用する顧客は、上述したように、ディスプレイに表示された注文画面を見ながら注文を行うが、多数の画像に関する注文が行われる場合には、１人の顧客が注文が完了するまでに長時間を要する場合がある。特に、メディアから読み出された画像が非常に多い場合には、顧客が注文を希望する画像を見つけ出すのに時間がかかってしまう。このような場合には、顧客は自分の順番が来るまで長時間待たなければならなくなる。特に、受付装置を利用している顧客の注文に要する時間は、待っている顧客からは全く分からないので、受付装置が空くのを待つ顧客は非常に大きなストレスを感じることになる。
【０００５】
そこで、本発明の主な目的は、プリント注文の受付に要する時間を短縮することができるプリント注文受付装置及びプリント注文受付方法を提供することである。
【課題を解決するための手段および発明の効果】
【０００６】
本発明のプリント注文受付装置は、写真プリントの注文を受け付けるプリント注文受付装置において、記録媒体に記録された画像データファイルを読み出すための読み出し部と、前記読み出し部によって読み出された画像データファイルに係る画像の編集情報に関するパラメータを前記記録媒体又は画像データファイルから取得するパラメータ取得手段と、ディスプレイと、前記パラメータ取得手段が取得したパラメータに基づいて、前記読み出し部によって読み出された画像データファイルに係る画像が編集画像であるか否かを判別する判別手段と、前記判別手段の判別結果に基づいて、注文画面に表示される画像に係る画像データファイルを選択する選択手段とを備えている。
【０００７】
本発明のプリント注文受付方法は、写真プリントの注文を受け付けるプリント注文受付方法において、記録媒体に記録された画像データファイルを読み出す読み出しステップと、前記読み出しステップにおいて読み出された画像データファイルに係る画像の編集情報に関するパラメータを前記記録媒体又は画像データファイルから取得するパラメータ取得ステップと、前記パラメータ取得ステップにおいて取得されたパラメータに基づいて、前記読み出しステップにおいて読み出された画像データファイルに係る画像が編集画像であるか否かを判別する判別ステップと、前記判別ステップにおける判別結果に基づいて、注文画面に表示する画像に係る画像データファイルを選択する選択ステップと、前記ディスプレイに表示された画像に対して注文情報の入力を受け付ける注文情報入力受付ステップとを備えている。
【０００８】
これらの構成によると、記録媒体又は画像データファイルから画像の編集情報に関するパラメータが取得され、そのパラメータに基づいて、読み出し部によって読み出された画像データファイルに係る画像が過去に編集された編集画像であるか否かが判別される。そして、記録媒体から読み出された複数の画像データファイルの中から、編集画像であると判別された画像に係る画像データファイルが選択され、それらの画像データファイルに係る画像を含む注文画面がディスプレイに表示される。そのため、顧客は、編集画像に関する注文情報の入力を短時間で行うことができる。そのため、プリント注文の受付に要する時間を短縮することができ、一人の顧客が受付装置を占有する時間が短くなる。また、受付装置の時間効率を向上させることができる。
【０００９】
本発明のプリント注文受付装置において、前記パラメータ取得手段は、前記読み出し部によって読み出された画像データファイルに係る画像の作成日及び更新日のそれぞれに関するパラメータを前記記録媒体又は画像データファイルから取得し、前記判別手段は、前記パラメータ取得手段が取得したパラメータに基づく画像の作成日と更新日とが異なる場合に、当該画像が編集画像であると判別してもよい。
【００１０】
この構成によると、記録媒体又は画像データファイルが画像データファイルに係る画像の作成日及び更新日のそれぞれに関するパラメータを有していれば、その画像データファイルに係る画像が編集画像であるかを容易に判別することができる。
【００１１】
本発明のプリント注文受付装置において、前記ディスプレイへの表示を希望する編集画像に関する更新日の期間を入力する更新期間入力手段をさらに備えており、前記選択手段は、前記読み出し部が読み出した画像データファイルに係る画像の中から、前記判別手段によって編集画像であると判別された画像であり、且つ、前記更新期間入力手段により入力された更新期間内の更新日を有する画像に係る画像データファイルを選択してもよい。
【００１２】
この構成によると、編集画像のうちの所定期間内に編集された画像だけを含む注文画面をディスプレイに表示させることができる。
【００１３】
本発明のプリント注文受付装置において、前記読み出し部によって読み出された前記画像データファイルに係る画像のうち、前記判別手段において編集画像でないと判別された画像を含む注文画面が前記ディスプレイに表示されてもよい。
【００１４】
この構成によると、編集画像以外の画像だけを含む注文画面をディスプレイに表示させることができる。
【発明を実施するための最良の形態】
【００１５】
以下、本発明の好適な実施の形態について、図面を参照しつつ説明する。図１は、本発明の実施の形態に係るプリント注文受付装置を含むデジタル画像処理システムの外観斜視図である。図２は、図１に示すデジタル画像処理システムの構成を示す図である。
【００１６】
〔デジタル画像処理システム〕
図１に示すデジタル画像処理システムは、複数のプリント注文受付装置Ｒ（以下、受付装置Ｒと略称する）と、銀塩式の印画紙１に画像データのプリントを行うデジタル型の写真処理装置Ｐと、これらの間で情報のアクセスを行う通信ネットワークＮ（図２参照）とを備えている。
【００１７】
デジタル画像処理システムは、写真店に設置されるのが一般的であり、このシステムでは、デジタルカメラで撮影された画像データを保存したスマートメディアＳＭ、コンパクトフラッシュ（登録商標）ＣＦ、メモリスティックＭＳ、ＰＣカードＰＣ−Ｃや、画像データを保存したＣＤ−ＲＯＭ、ＭＯ等の記憶媒体（以下、これらをメディアＭと総称する）からの画像データに基づくプリント注文を受付装置Ｒで受付けることができる。
【００１８】
また、このシステムでは、この受付時に発行される受付証ｒｅ（図１６参照）を顧客が図１に示すサービスカウンターＣで写真店の担当者に提示することにより、その担当者が受付証ｒｅにプリントされた情報に基づき、完成した写真プリントを受付証ｒｅを提示した顧客に対して代金と引き換えに手渡す処理が行われる。
【００１９】
〔写真処理装置Ｐ〕
まず、写真処理装置Ｐの構成について、図１及び図２を参照して説明する。写真処理装置Ｐは、テーブル上に配置されたオペレート部Ｐｏと現像処理部Ｐｄとが一体化された装置本体と、この装置本体から分離した位置のスキャナユニットＰｓとを備えている。
【００２０】
オペレート部Ｐｏには、印画紙マガジン５からの印画紙１をプリントサイズに切断してデジタル型の露光ヘッド６に供給する露光系が内装されている。また、オペレート部Ｐｏは、ＣＤ−ＲＯＭまたはＤＶＤからの情報の読出し、及び、ＣＤ−Ｒに対する情報の書き込みを行うコンボドライブ１０と、スマートメディアＳＭ、コンパクトフラッシュ（登録商標）ＣＦ及びＭＯ等の各種メディアに対応した複数のマルチドライブ１１と、画像データや各種情報の表示を行うディスプレイ１２と、キーボード１３と、マウス１４と、マイクロプロセッサを有する制御部１５を備えている。
【００２１】
制御部１５は、汎用コンピュータを用いて構成されており、各種のソフトウエアの作動が可能になっている。制御部１５は、画像処理ソフトによって、スキャナユニットＰｓでデジタル信号化された画像データの補正や、必要な場合には画像データのトリミングを行い、この処理の結果を制御部１５の半導体メモリやハードディスクに保存し、印画紙１に対する画像データの露光時に露光ヘッド６に転送することができる。
【００２２】
また、現像処理部Ｐｄには、露光ヘッド６で露光された印画紙１の現像処理を行う現像処理槽７が内装されている。現像処理部Ｐｄでは、現像処理槽７で現像処理が行われた印画紙１が、乾燥された後で、現像処理部Ｐｄの上面の横送りコンベア８に送出される。そして、横送りコンベア８からの印画紙１が仕分けコンベア９に送出される。
【００２３】
スキャナユニットＰｓは、底部にキャスタを備えた筐体１７の上面に対して交換自在にフィルムキャリア１８を備えると共に、筐体内部に光学レンズやＣＣＤ等の光電変換素子を有する光電変換部（図示しない）を備えている。また、筐体内部に備えた光源から光ファイバーを介して送られる光線をフィルムキャリア１８の上面側に導くアーム１９を備えている。
【００２４】
そして、写真フィルム２のスキャニングを行う場合には、ネガティブフィルムまたはポジティブフィルムをフィルムキャリア１８にセットし、このフィルムキャリア１８で設定速度で移動させながらアーム１９の先端から下方に向けて照射する光線により、写真フィルム２の各コマの画像データを光電変換部でデジタル信号化し、ケーブル２０を介して制御部１５に転送し得るよう構成されている。
【００２５】
〔受付装置Ｒ〕
次に、受付装置Ｒの構成を図３を参照して説明する。受付装置Ｒは、図３に示すように、筐体２１の上面に配置され且つタッチパネル２２が形成された液晶型のディスプレイ２３と、筐体２１の前面に設けられた媒体ドライブとしての複数のメディアドライブ２４と、筐体２１の上面におけるディスプレイ２３より前面側に設けられ且つ受付証ｒｅを発行する熱転写式の受付証プリンタ２５と、筐体２１の内部に内蔵されたコントローラ２６とを備えている。なお、複数のメディアドライブ２４は、スマートメディアＳＭ、コンパクトフラッシュ（登録商標）ＣＦ、メモリスティックＭＳ、メディアＭのアタッチメントとして機能するＰＣカードＰＣ−Ｃ、ＣＤ−ＲＯＭ、ＭＯ等のそれぞれに対応している。
【００２６】
コントローラ２６は、メディアドライブ２４との情報のアクセス及びタッチパネル２２との情報のアクセスが可能であると共に、ディスプレイ２３に対する画像データの出力及び受付証プリンタ２５に対する情報の出力が可能である。また、コントローラ２６は、作業領域が形成されるＲＡＭ型の半導体メモリや、プログラムやパラメータが保存されるＲＯＭ型の半導体メモリの総称としてのメモリ（図示しない）を備えると共に、ハードウエアまたはソフトウエア、あるいは、ハードウエアとソフトウエアとの組合わせによって、画像データ記憶部８１と、パラメータ取得部８２と、判別部８３と、選択部８４と、抽出部８５と、制御部８６とが形成されている（図４参照）。
【００２７】
次に、受付装置Ｒのコントローラ２６の構成について、図４を参照して説明する。図４は、受付装置のコントローラの構成を示すブロック図である。なお、図４では、１台の受付装置Ｒだけが図示されているが、その他の受付装置Ｒにおいても同様である。
【００２８】
画像データ記憶部８１は、メディアドライブ２４によって読み出された複数の画像データファイルを記憶する。
【００２９】
パラメータ取得部８２は、メディアドライブ２４によって読み出された画像データファイルに係る画像の編集情報に関するパラメータを記録媒体又は画像データファイルから取得する。例えばEXIF形式（Exchangeable Image File Format）で画像が記録されている場合、各画像の編集情報に関するパラメータは、各画像データファイル内にタグ情報として記録されているので、パラメータ取得部８２は、画像データファイルから画像の編集情報に関するパラメータを取得する。一方、例えばDPOF形式（Digital Print Order Format）で画像が記録されている場合、各画像の編集情報に関するパラメータは、画像データファイルとは別のファイル内に記憶されているので、パラメータ取得部８２は、記録媒体から画像の編集情報に関するパラメータを取得する。
【００３０】
本実施形態では、各画像の編集情報に関するパラメータとして、各画像が撮影された日（各画像に係る画像データファイルの作成日）に関するパラメータ及び各画像に係る画像データファイルの更新日に関するパラメータが、EXIF形式の場合はタグ情報として各画像データファイル内に、またDPOF形式の場合は各画像データと対応するように記録媒体内に記録されているものとする。ここで、更新日とは、各画像が過去に編集されたことがある場合には、その編集が行われた日（複数回の編集が行われた場合には、最後に編集が行われた日）であり、各画像が過去に編集されたことがない場合には、各画像の作成日と同じ日である。
【００３１】
判別部８３は、パラメータ取得部８２が取得した画像の編集情報に関するパラメータに基づいて、各画像が過去に編集された編集画像であるか否かを判別する。ここでは、判別部８３は、パラメータ取得部８２が取得したパラメータに基づく各画像の作成日と更新日とが異なる場合に、その画像が編集画像であると判別する。
【００３２】
選択部８４は、画像データ記憶部８２に記憶された複数の画像データファイルの中から、判別部８３が編集画像であると判別した画像に係る画像データファイルを選択する。
【００３３】
抽出部８５は、画像データ記憶部８２に記憶された複数の画像データファイルの中から、選択部８４で選択された画像データファイルを抽出する。
【００３４】
制御部８６は、ディスプレイ２３における表示を制御し、プリント注文が行われる際に種々の画面をディスプレイ２３に表示させる。ここで、顧客が画像データ記憶部８２に記憶された複数の画像データファイルに係る画像の全てが表示されることを希望する場合には、制御部８６は、それらの画像の全てを含む「プリント枚数設定画面」を表示する。また、顧客が画像データ記憶部８２に記憶された複数の画像データファイルに係る画像のうちの編集画像だけが表示されることを希望する場合には、制御部８６は、編集画像だけを含む「プリント枚数設定画面」を表示する。また、顧客が画像データ記憶部８２に記憶された複数の画像データファイルに係る画像のうちの編集画像以外の画像だけが表示されることを希望する場合には、制御部８６は、編集画像以外の画像だけを含む「プリント枚数設定画面」を表示する。
【００３５】
〔受付装置Ｒでの注文受付〕
次に、受付装置Ｒにおけるプリント注文の受付の手順について、図５〜図１６を参照して説明する。図５は、受付装置におけるプリント注文の受付の手順を示すフローチャートである。図６〜図１５は、注文受付の際に受付装置のディスプレイに表示される表示画面の一例を示す図である。図１６は、受付証の一例を示す図である。
【００３６】
受付装置Ｒでは、待機状態においては、図６に示すように、受付装置Ｒの機能や写真店のロゴマーク等を含む待機画面（初期画面）が表示される（ステップＳ１）。そして、顧客が画像のプリントの注文を行う場合には、ディスプレイ２３のタッチパネル２２に指を接触させることにより、図７に示す「サービス選択画面」が表示される（ステップＳ２）。この画面には、「サービスを選択してください」とのメッセージと共に、プリントの受付を行わせるプリント受付スイッチ部４５ａと、メディア保存の受付を行わせるメディア保存受付スイッチ部４５ｂとが表示され、顧客に選択を求める。なお、メディア保存受付スイッチ部４５ｂが操作された場合には、メディアＭに保存された画像データを、写真処理装置Ｐに転送して、写真処理装置ＰにおいてＣＤ−ＲやＭＯに保存する処理が行われるが、プリントを受付ける処理と基本的に同じ処理形態であるので、詳細な説明は省略する。
【００３７】
「サービス選択画面」が表示された状態で、プリント受付スイッチ部４５ａが操作された場合には、図８に示す「メディア選択画面」が表示される（ステップＳ３）。この「メディア選択画面」には、「メディアを選択してください」とのメッセージと共に、メディアを選択する複数のスイッチ部４７が表示され、顧客に選択を求める。この「サービス選択画面」の下側には処理を中止する中止ボタン４８と、前の処理に戻る戻るボタン４９とが表示され、これら中止ボタン４８と戻るボタン４９とは、後述する処理においても同じ位置に表示され、操作することにより同様に機能する。
【００３８】
そして、「メディア選択画面」が表示された状態で、顧客が使用するメディアに対応するスイッチ部４７が操作された場合には、図９に示す「メディアセット案内画面」が表示される（ステップＳ４）。この画面には、「メディアをセットしてＯＫボタンを押してください」とのメッセージと共に、対応するメディアをセットする際の具体的な画像が表示される。
【００３９】
「メディアセット案内画面」にしたがってメディアＭがセットされ、顧客がＯＫボタン５０を操作することで、セットされたメディアＭから画像データを読出した後（ステップＳ５）、図１０に示す「プリントサイズ選択画面」が表示される（ステップＳ６）。この画面には、「プリントサイズを選択してください」とのメッセージと共に、複数のプリントサイズに対応したサイズ指定スイッチ部５１が表示され、顧客に選択を求める。「プリントサイズ選択画面」のサイズ指定スイッチ部５１には、プリントサイズを示す「Ｌ版」や「２Ｌ版」の文字の他に、プリントサイズを示す数値、プリントの単価及びプリントの基本料金などが表示される。
【００４０】
そして、「プリントサイズ選択画面」が表示された状態で、いずれか１つのサイズ指定スイッチ部５１が操作された場合には、図１１に示す「表示画像選択画面」が表示される（ステップＳ７）。この画面には、「表示画像を選択してください」とのメッセージと共に、各表示画像に対応した表示画像指定スイッチ部５２が表示される。本実施の形態では、選択可能な表示画像としては、全ての画像、編集画像のみ、編集画像以外の３つがある。
【００４１】
そして、「表示画像選択画面」が表示された状態で、いずれか１つの表示画像指定スイッチ部５２が操作された場合には、図１２に示す注文画面である「プリント枚数設定画面」が表示される（ステップＳ８）。この画面には、「プリント枚数を設定してください」とのメッセージと共に、メディアドライブ２４によって読み出された複数の画像データファイルに係る画像がサムネイル画像Ｓとして表示される。
【００４２】
ここで、「表示画像選択画面」で「全ての画像」が選択された場合には、画像データ記憶部８２に記憶された画像データファイルに係る画像が、撮影された順に（ファイル番号の小さい方から順に）、サムネイル画像Ｓとして表示された「プリント枚数設定画面」が表示される。また、「表示画像選択画面」で「編集画像のみ」が選択された場合には、画像データ記憶部８２に記憶された画像データファイルのうちの編集画像だけが、サムネイル画像Ｓとして表示された「プリント枚数設定画面」が表示される。また、「表示画像選択画面」で「編集画像以外」が選択された場合には、画像データ記憶部８２に記憶された画像データファイルのうちの編集画像以外の画像だけが、サムネイル画像Ｓとして表示された「プリント枚数設定画面」が表示される。なお、「表示画像選択画面」で各表示画像が選択された場合の「プリント枚数設定画面」の表示手順については後で詳述する。
【００４３】
注文画面である「プリント枚数設定画面」では、各サムネイル画像Ｓのフレーム５４の上段に画像データを特定するファイルの名称（ファイル番号）が表示され、フレーム５４の下段にはプリント枚数を示す数値を表示する枚数表示エリア５５が設けられている。また、このプリント枚数表示エリア５５を挟む位置にプリント枚数を１枚ずつ増加させる＋ボタン５６と、プリント枚数を１枚ずつ減少させる−ボタン５６とが表示されている。
【００４４】
また、この画面下端部近傍には、中止ボタン４８と、戻るボタン４９と、ＯＫボタン５０（複数の「プリント枚数設定画面」が表示される場合には、最終画面以外にはＯＫボタンの代わりに次へボタン５０が表示される）と、全てのプリント枚数を１枚ずつ増加させる全体＋ボタン５７と、全てのプリント枚数を１枚ずつ減少させる全体−ボタン５７とが表示されると共に、その中央位置に情報エリアＤＥが表示される。情報エリアＤＥには、選択されたプリントサイズの情報、設定されたプリントの合計枚数、プリントに要する合計金額、ページを示す数字が表示される。
【００４５】
「プリント枚数設定画面」が表示された状態で、全てのプリントすべき画像データの選択が終了し、ＯＫボタン５０が操作されると、図１３に示す「注文内容確認画面」が表示される（ステップＳ９）。この画面には「注文の内容を確認してください」とのメッセージと共に、顧客が受付装置Ｒから入力したプリントの詳細と金額とを一覧化した確認シート６５が表示される。そして、この表示内容に誤りがなければＯＫボタン５０を操作することで、オーダ情報と画像データとにＩＤ情報を付与した形態のフォルダが新たに生成され、これらの情報が写真処理装置Ｐに送信される。
【００４６】
「注文内容確認画面」が表示された状態で、ＯＫボタン５０が操作されると、図１４に示す「メディア抜取り案内画面」が表示される（ステップＳ１０）。この画面には「メディアを抜取ってください」とのメッセージが表示され、この表示にしたがいメディアを抜取り、ＯＫボタン５０を操作することで、図１５に示す「受付証発行案内画面」が表示される（ステップＳ１１）。この画面には「受付証を発行中です、しばらくお待ちください」及び「受付証はカウンタに持参してください」のメッセージが表示され、所定の時間が経過すると受付証プリンタ２５で受付証ｒｅがプリントされて送出される（ステップＳ１２）。このように受付証ｒｅが発行されると、受付処理の全てが終了して待機画面に復帰する。
【００４７】
受付証ｒｅは、図１６に示すように、受付証本体と、お客様控えとが連なった形態となっており、お客様名、電話番号、受付ＩＤ、端末ＩＤ、受付日、注文番号等の他に注文の詳細を示す内容がプリントされている。なお、即日に写真のプリントを手渡せない場合には、受付証本体と、お客様控えとを切り離し、受付証本体をＤＰ店の控えとして残し、お客様控えを顧客に手渡す処理も可能にしている。
【００４８】
次に、「プリント枚数設定画面」の表示手順について、図１７〜図２２を参照しつつ具体例に基づいて説明する。図１７は、「プリント枚数設定画面」の表示手順を示すフローチャートである。図１８は、受付装置のディスプレイに表示される表示画面の一例を示す図である。図１９は、複数の画像の作成日及び更新日を示す図である。図２０は、「表示画像選択画面」で「全ての画像」が選択された場合の「プリント枚数設定画面」の表示手順を示す図である。図２１は、「表示画像選択画面」で「編集画像のみ」が選択された場合の「プリント枚数設定画面」の表示手順を示す図である。図２２は、「表示画像選択画面」で「編集画像以外」が選択された場合の「プリント枚数設定画面」の表示手順を示す図である。
【００４９】
まず、メディアドライブ２４によって画像データファイルが読み出されると（ステップＳ１０１）、記録媒体または画像データファイルから各画像の編集情報に関するパラメータがパラメータ取得部８２により取得される（ステップＳ１０２）。その後、受付装置Ｒのディスプレイ２３に「表示画像選択画面」が表示される（ステップＳ１０３）。
【００５０】
ここで、「表示画像選択画面」が表示された状態で、顧客が「全ての画像」に対応した表示画像指定スイッチ部５２を操作すると（Ｓ１０４：ＹＥＳ）、画像データ記憶部８１に記憶された画像データファイルに係る画像が、撮影された順に（ファイル番号の小さい方から順に）、サムネイル画像Ｓとして表示された「プリント枚数設定画面」が表示される（ステップＳ１０５）。
【００５１】
つまり、図１９に示すファイル番号００１〜０２０の２０個の画像に係る画像データファイルが画像データ記憶部８１に記憶されている場合には、図２０（ａ）に示すように、ファイル番号００１〜００８の８個の画像をサムネイル画像とする「プリント枚数設定画面」が表示される。そして、この「プリント枚数設定画面」におけるプリント枚数の設定が完了し、次へボタン５０が操作されると、図２０（ｂ）に示すように、ファイル番号００９〜０１６の８個の画像をサムネイル画像とする「プリント枚数設定画面」が表示される。また、この「プリント枚数設定画面」におけるプリント枚数の設定が完了し、次へボタン５０が操作されると、図２０（ｃ）に示すように、ファイル番号０１７〜０２０の４個の画像をサムネイル画像とする「プリント枚数設定画面」が表示される。
【００５２】
一方、「表示画像選択画面」が表示された状態で、顧客が「編集画像のみ」に対応した表示画像指定スイッチ部５２を操作すると（Ｓ１０４：ＮＯ、Ｓ１０６：ＹＥＳ）、受付装置Ｒのディスプレイ２３に図１８に示す「更新期間入力画面」が表示される（ステップＳ１０７）。この画面には、「更新日の期間を入力してください」とのメッセージと共に、更新期間を入力するための複数のボタンを含む入力部６０が表示される。その後、「更新期間入力画面」が表示された状態で、顧客により入力部６０が操作されることによって、更新期間が入力される（ステップＳ１０８）。
【００５３】
ここで、パラメータ取得部８２で取得されたパラメータに基づいて、画像データ記憶部８１に記憶された画像データファイルに係る各画像が編集画像であるか否かが判別される（ステップＳ１０９）。そして、その判別結果に基づいて、画像データ記憶部８１に記憶された画像データファイルの中から、編集画像と判別された画像に係る画像データファイルが選択され、抽出される（ステップＳ１１０）。その後、編集画像と判別された画像だけがサムネイル画像Ｓとして表示された「プリント枚数設定画面」が表示される。つまり、図２１に示すように、図１９において作成日と更新日とが異なるファイル番号００２、００３、００８、０１０、０１１、０１８〜０２０の８個の画像をサムネイル画像とする「プリント枚数設定画面」が表示される（ステップＳ１１１）。
【００５４】
また、このとき、「更新期間入力画面」において、例えば、更新期間２００５年１２月１日〜２００５年３月１日が入力された場合には、図１９において作成日と更新日とが異なり、且つ、この更新期間内の更新日を有するファイル番号００８、０１０、０１１の３個の画像をサムネイル画像とする「プリント枚数設定画面」が表示される。
【００５５】
また、「表示画像選択画面」が表示された状態で、顧客が「編集画像以外」に対応した表示画像指定スイッチ部５２を操作すると（Ｓ１０６：ＮＯ）、パラメータ取得部８２で取得されたパラメータに基づいて、画像データ記憶部８１に記憶された画像データファイルに係る各画像が編集画像であるか否かが判別される（ステップＳ１１２）。そして、その判別結果に基づいて、画像データ記憶部８１に記憶された画像データファイルの中から、編集画像と判別された画像に係る画像データファイルが選択される（ステップＳ１１３）。その後、編集画像と判別された画像以外の画像だけがサムネイル画像Ｓとして表示された「プリント枚数設定画面」が表示される（ステップＳ１１４）。
【００５６】
つまり、図２２（ａ）に示すように、図１９において作成日と更新日とが同じファイル番号００１、００４〜００７、００９、０１２、０１３の８個の画像をサムネイル画像とする「プリント枚数設定画面」が表示される。そして、この「プリント枚数設定画面」におけるプリント枚数の設定が完了し、次へボタン５０が操作されると、図２２（ｂ）に示すように、ファイル番号０１４〜０１７の４個の画像をサムネイル画像とする「プリント枚数設定画面」が表示される。
【００５７】
そして、上述した「プリント枚数設定画面」が表示された状態で、プリント枚数の設定が完了すると（ステップＳ１１５）、「注文内容確認画面」が表示される（ステップＳ１１６）。
【００５８】
以上説明したように、本実施の形態の受付装置Ｒでは、記録媒体又は画像データファイルから画像の編集情報に関するパラメータが取得され、そのパラメータに基づいて、メディアドライブ２４によって読み出された画像データファイルに係る各画像が編集画像であるか否かが判別される。そして、画像データ記憶部８１に記憶された複数の画像データファイルの中から、編集画像であると判別された画像に係る画像データファイルが選択され、それらの画像データファイルに係る画像を含む「プリント枚数設定画面」がディスプレイ２３に表示される。そのため、顧客は、「表示画像選択画面」において「編集画像のみ」を選択し、編集画像だけを含む「プリント枚数設定画面」をディスプレイ２３に表示させることによって、編集画像に関する注文情報の入力を短時間で行うことができる。そのため、プリント注文の受付に要する時間を短縮することができ、一人の顧客が受付装置を占有する時間が短くなる。また、受付装置の時間効率を向上させることができる。
【００５９】
また、判別部８３では、各画像の作成日と更新日とが異なる場合に、その画像が編集画像であると判別されるので、記録媒体又は画像データファイルが画像データファイルに係る画像の作成日及び更新日のそれぞれに関するパラメータを有していれば、その画像データファイルに係る画像が編集画像であるかを容易に判別することができる。
【００６０】
また、編集画像に関する更新日の期間を入力することによって、編集画像のうちの所定期間内に編集された画像だけを含む「プリント枚数設定画面」をディスプレイ２３に表示させることができる。
【００６１】
また、顧客は、「表示画像選択画面」において「編集画像以外」を選択し、編集画像以外の画像だけを含む「プリント枚数設定画面」をディスプレイ２３に表示させることによって、編集画像以外の画像に関する注文情報の入力を短時間で行うことができる。
【００６２】
なお、本実施の形態において、編集画像に係る画像データファイルが抽出された後において、その画像データファイルだけを異なるメディアＭに保存すれば、画像データファイルの整理に有効である。
【００６３】
以上、本発明の好適な実施の形態について説明したが、本発明は上述の実施の形態に限られるものではなく、特許請求の範囲に記載した限りにおいて様々な設計変更が可能なものである。例えば、上述の実施の形態では、画像の作成日及び更新日のそれぞれに関するパラメータが記録媒体又は画像データファイルから取得され、これらのパラメータに基づいて、その画像が編集画像であるか否かが判別されているが、画像の作成日及び更新日のそれぞれに関するパラメータ以外の画像の編集情報に関するパラメータが記録媒体又は画像データファイルから取得され、このパラメータに基づいて、その画像が編集画像であるか否かが判別されてもよい。
【図面の簡単な説明】
【００６４】
【図１】本発明の実施の形態に係るプリント注文受付装置を含むデジタル画像処理システムの外観斜視図である。
【図２】図１に示すデジタル画像処理システムの構成を示す図である。
【図３】図１に示す受付装置の構成を示す図である。
【図４】受付装置のコントローラの構成を示すブロック図である。
【図５】受付装置におけるプリント注文の受付の手順を示すフローチャートである。
【図６】注文受付の際に受付装置のディスプレイに表示される表示画面の一例を示す図である。
【図７】注文受付の際に受付装置のディスプレイに表示される表示画面の一例を示す図である。
【図８】注文受付の際に受付装置のディスプレイに表示される表示画面の一例を示す図である。
【図９】注文受付の際に受付装置のディスプレイに表示される表示画面の一例を示す図である。
【図１０】注文受付の際に受付装置のディスプレイに表示される表示画面の一例を示す図である。
【図１１】注文受付の際に受付装置のディスプレイに表示される表示画面の一例を示す図である。
【図１２】注文受付の際に受付装置のディスプレイに表示される表示画面の一例を示す図である。
【図１３】注文受付の際に受付装置のディスプレイに表示される表示画面の一例を示す図である。
【図１４】注文受付の際に受付装置のディスプレイに表示される表示画面の一例を示す図である。
【図１５】注文受付の際に受付装置のディスプレイに表示される表示画面の一例を示す図である。
【図１６】受付証の一例を示す図である。
【図１７】「プリント枚数設定画面」の表示手順を示すフローチャートである。
【図１８】受付装置のディスプレイに表示される表示画面の一例を示す図である。
【図１９】複数の画像の作成日及び更新日を示す図である。
【図２０】「表示画像選択画面」で「全ての画像」が選択された場合の「プリント枚数設定画面」の表示手順を示す図である。
【図２１】「表示画像選択画面」で「編集画像のみ」が選択された場合の「プリント枚数設定画面」の表示手順を示す図である。
【図２２】「表示画像選択画面」で「編集画像以外」が選択された場合の「プリント枚数設定画面」の表示手順を示す図である。
【符号の説明】
【００６５】
Ｒ  プリント注文受付装置
Ｐ  写真処理装置
２２  タッチパネル（更新期間入力手段）
２３  ディスプレイ
２４  メディアドライブ（読み出し部）
８１  画像データ記憶部
８２  パラメータ取得部（パラメータ取得手段）
８３  判別部（判別手段）
８４  選択部（選択手段）
８５  抽出部
８６  制御部
【図１】
2006293928.tif 000003
【図２】
2006293928.tif 000004
【図３】
2006293928.tif 000005
【図４】
2006293928.tif 000006
【図５】
2006293928.tif 000007
【図６】
2006293928.tif 000008
【図７】
2006293928.tif 000009
【図８】
2006293928.tif 000010
【図９】
2006293928.tif 000011
【図１０】
2006293928.tif 000012
【図１１】
2006293928.tif 000013
【図１２】
2006293928.tif 000014
【図１３】
2006293928.tif 000015
【図１４】
2006293928.tif 000016
【図１５】
2006293928.tif 000017
【図１６】
2006293928.tif 000018
【図１７】
2006293928.tif 000019
【図１８】
2006293928.tif 000020
【図１９】
2006293928.tif 000021
【図２０】
2006293928.tif 000022
【図２１】
2006293928.tif 000023
【図２２】
2006293928.tif 000024